(57)【特許請求の範囲】
【請求項１】
各種絵柄や文字からなる複数の絵柄を示す画像データを予め記憶する記憶手段と、
前記記憶手段に記憶されている画像データを表示する表示手段と、
利用者の操作に従ってスタンプを選択するためのスタンプ選択手段と、
前記スタンプ選択手段により選択された印面未成形のスタンプを排出するスタンプ排出手段と、
前記スタンプ選択手段により選択されたスタンプ種別を記憶するスタンプ記憶手段と、
前記スタンプ排出手段により排出されたスタンプをセットするためのスタンプセット口と、
前記スタンプセット口にセットされたスタンプが前記スタンプ記憶手段に記憶されたスタンプ種別かを確認するスタンプ確認手段と、
未成型のスタンプの印面に絵柄を成型する印面成型手段と、
前記スタンプ確認手段により、前記スタンプセット口にセットされたスタンプの種別が前記スタンプ記憶手段に記憶されたスタンプ種別であると確認された場合に、前記スタンプ選択手段により選択されたスタンプに対して成型可能な絵柄のみを前記記憶手段から読み出して前記表示手段に表示させ、表示された絵柄から利用者が選択した絵柄を前記表示手段に表示した状態で利用者に絵柄を編集させ、編集された絵柄をスタンプの印面に成型することを前記印面成型手段に指示する制御手段とを備えることを特徴とするスタンプ作成装置。
【請求項２】
請求項１に記載のスタンプ作成装置において、
前記記憶手段は、各種印面サイズおよび印色を有する各スタンプごとに、個々のスタンプに絵柄を成型して押捺した場合の押捺例を示す押捺例画像データを予め記憶し、
前記制御手段は、印面未成型スタンプ選択時に、各種印面サイズおよび印色を有する各スタンプごとに対応する押捺例を前記記憶手段から読み出して前記表示手段に表示することを特徴とするスタンプ作成装置。
【請求項３】
請求項１又は２に記載のスタンプ作成装置において、
任意の被写体を撮影し撮影画像データとして出力する画像入力手段を更に備え、
前記制御手段は、絵柄編集時、画像入力手段から出力された撮影画像データを絵柄の一部として用いることを特徴とするスタンプ作成装置。
【請求項４】
請求項３に記載のスタンプ作成装置において、
前記画像入力手段は、任意の被写体を所定間隔で複数回連続撮影し、それぞれ撮影画像データとして出力し、
前記制御手段は、絵柄編集時、画像入力手段から出力された各撮影画像データを表示手段に表示し、これら撮影画像データのうち所定操作により選択されたいずれかの撮影画像データを絵柄の一部として用いることを特徴とするスタンプ作成装置。
【請求項５】
請求項１〜４のいずれか一項に記載のスタンプ作成装置において、
前記記憶手段は、髪、顔輪郭、目、口などの似顔絵を構成する各部位ごとに、各部位を示す複数の各種部位画像データを記憶し、
前記制御手段は、絵柄編集時、各部位ごとに各部位画像データを読み出して前記表示手段に表示するとともに、所定操作により各部位ごとに選択されたそれぞれの部位画像データからなる似顔絵を絵柄の一部として用いることを特徴とするスタンプ作成装置。
【請求項６】
所望の絵柄の印面を有するスタンプを作成する装置において、
スタンプの印面に形成されるべき複数の絵柄を示す画像データを予め記憶する記憶手段と、
利用者の操作に従ってスタンプを選択するためのスタンプ選択手段と、
前記スタンプ選択手段により選択されたスタンプ種別を記憶するスタンプ記憶手段と、
前記スタンプ選択手段により選択された印面未成形のスタンプを排出するスタンプ排出手段と、
前記スタンプ排出手段により排出されたスタンプをセットするためのスタンプセット口と、
前記スタンプセット口にセットされたスタンプが前記スタンプ記憶手段に記憶されたスタンプ種別かを確認するスタンプ確認手段と、
前記スタンプ選択手段により選択されたスタンプに対して成型可能な絵柄のみを対象として利用者による所望の絵柄の選択を受け付けるための画像データ選択手段と、
未成型のスタンプの印面に絵柄を成型する印面成型手段と、
前記スタンプ確認手段により、前記スタンプセット口にセットされたスタンプの種別が前記スタンプ記憶手段に記憶されたスタンプ種別であると確認された場合に、前記画像データ選択手段に、前記未成型スタンプの印面に形成すべき絵柄を選択させ、前記選択された絵柄をスタンプの印面に成型することを前記印面成型手段に指示する制御手段とを具備するスタンプ作成装置。
【発明の詳細な説明】
【０００１】
【発明の属する技術分野】
本発明は、スタンプ作成装置に関し、特に利用者による貨幣価値媒体の投入に応じて、選択された印面サイズおよび印色のスタンプを排出するとともに、排出したスタンプの印面に所望の絵柄を成型することによりスタンプを作成して提供するスタンプ作成装置に関するものである。
【０００２】
【従来の技術】
従来、利用者が所望する絵柄を印面に成型することによりスタンプを作成するスタンプ作成装置として、各種サイズ（大きさ）の印面を有する複数種のスタンプのうちからいずれかを選択し、所望の絵柄を成型するものが提案されている（例えば、特開平６−２７８３５０号公報など）。
これらは、スタンプを作成する際に、選択したスタンプの印面サイズや印面形状を示すスタンプ種類を利用者がキー操作により入力し、その入力したスタンプ種類の外形輪郭に基づいて、画像データから印面の絵柄として用いる部分を指定するものとなっていた。
【０００３】
【発明が解決しようとする課題】
したがって、このような従来のスタンプ作成装置では、スタンプ作成する際に、選択したスタンプの印面サイズに応じて、利用者がそのスタンプのスタンプ種類をキー操作により入力する必要があるとともに、入力したスタンプ種類の外形輪郭に基づいて、利用者が画像データから印面の絵柄として用いる部分を指定する必要があることから、スタンプ作成に要する操作が複雑すぎるという問題点があり、特に、操作の経験が全くない不特定多数の人が、現金やコインなどの貨幣価値媒体を投入して利用するようなスタンプ作成装置として用いることは困難であった。
本発明はこのような課題を解決するためのものであり、操作の経験がない不特定多数の人が、簡単な操作で所望のスタンプを作成することができるスタンプ作成装置を提供することを目的としている。
【０００４】
【課題を解決するための手段】
このような目的を達成するために、本発明によるスタンプ作成装置は、各種絵柄や文字からなる複数の絵柄を示す画像データを予め記憶する記憶手段と、前記記憶手段に記憶されている画像データを表示する表示手段と、利用者の操作に従ってスタンプを選択するためのスタンプ選択手段と、前記スタンプ選択手段により選択された印面未成形のスタンプを排出するスタンプ排出手段と、前記スタンプ選択手段により選択されたスタンプ種別を記憶するスタンプ記憶手段と、前記スタンプ排出手段により排出されたスタンプをセットするためのスタンプセット口と、前記スタンプセット口にセットされたスタンプが前記スタンプ記憶手段に記憶されたスタンプ種別かを確認するスタンプ確認手段と、未成型のスタンプの印面に絵柄を成型する印面成型手段と、前記スタンプ確認手段により、前記スタンプセット口にセットされたスタンプの種別が前記スタンプ記憶手段に記憶されたスタンプ種別であると確認された場合に、前記スタンプ選択手段により選択されたスタンプに対して成型可能な絵柄のみを前記記憶手段から読み出して前記表示手段に表示させ、表示された絵柄から利用者が選択した絵柄を前記表示手段に表示した状態で利用者に絵柄を編集させ、編集された絵柄をスタンプの印面に成型することを前記印面成型手段に指示する制御手段とを備えるものである（請求項１）。
【０００５】
また、請求項１に記載のスタンプ作成装置において、前記記憶手段は、各種印面サイズおよび印色を有する各スタンプごとに、個々のスタンプに絵柄を成型して押捺した場合の押捺例を示す押捺例画像データを予め記憶し、前記制御手段は、印面未成型スタンプ選択時に、各種印面サイズおよび印色を有する各スタンプごとに対応する押捺例を前記記憶手段から読み出して前記表示手段に表示するよう構成することが可能である（請求項２）。
【０００６】
また、請求項１又は２に記載のスタンプ作成装置において、任意の被写体を撮影し撮影画像データとして出力する画像入力手段を更に備え、前記制御手段は、絵柄編集時、画像入力手段から出力された撮影画像データを絵柄の一部として用いるよう構成することが可能である（請求項３）。
【０００７】
また、請求項３に記載のスタンプ作成装置において、前記画像入力手段は、任意の被写体を所定間隔で複数回連続撮影し、それぞれ撮影画像データとして出力し、前記制御手段は、絵柄編集時、画像入力手段から出力された各撮影画像データを表示手段に表示し、これら撮影画像データのうち所定操作により選択されたいずれかの撮影画像データを絵柄の一部として用いるよう構成することが可能である（請求項４）。
【０００８】
また、請求項１〜４のいずれか一項に記載のスタンプ作成装置において、前記記憶手段は、髪、顔輪郭、目、口などの似顔絵を構成する各部位ごとに、各部位を示す複数の各種部位画像データを記憶し、前記制御手段は、絵柄編集時、各部位ごとに各部位画像データを読み出して前記表示手段に表示するとともに、所定操作により各部位ごとに選択されたそれぞれの部位画像データからなる似顔絵を絵柄の一部として用いるよう構成することが可能である（請求項５）。
【０００９】
また、所望の絵柄の印面を有するスタンプを作成する装置において、スタンプの印面に形成されるべき複数の絵柄を示す画像データを予め記憶する記憶手段と、利用者の操作に従ってスタンプを選択するためのスタンプ選択手段と、前記スタンプ選択手段により選択されたスタンプ種別を記憶するスタンプ記憶手段と、前記スタンプ選択手段により選択された印面未成形のスタンプを排出するスタンプ排出手段と、前記スタンプ排出手段により排出されたスタンプをセットするためのスタンプセット口と、前記スタンプセット口にセットされたスタンプが前記スタンプ記憶手段に記憶されたスタンプ種別かを確認するスタンプ確認手段と、前記スタンプ選択手段により選択されたスタンプに対して成型可能な絵柄のみを対象として利用者による所望の絵柄の選択を受け付けるための画像データ選択手段と、未成型のスタンプの印面に絵柄を成型する印面成型手段と、前記スタンプ確認手段により、前記スタンプセット口にセットされたスタンプの種別が前記スタンプ記憶手段に記憶されたスタンプ種別であると確認された場合に、前記画像データ選択手段に、前記未成型スタンプの印面に形成すべき絵柄を選択させ、前記選択された絵柄をスタンプの印面に成型することを前記印面成型手段に指示する制御手段とを具備するものである（請求項６）。
【００１１】
【発明の実施の形態】
次に、本発明について図面を参照して説明する。
図１は本発明の第１の実施の形態によるスタンプ作成装置のブロック図であり、１は装置の各部を制御するＣＰＵ（制御手段）、２は印面の各種定型絵柄などの画像データや利用者の選択操作により排出したスタンプのスタンプ種別など各種制御情報を記憶する記憶部（記憶手段）、３はＣＰＵ１と各部との間で制御信号をやり取りするＩ／Ｏ、１０は利用者により投入された貨幣価値媒体例えば現金、コイン、プリペイドカードなどを検出するコイン検出部、４は印面が成型されていないスタンプであって、印面サイズ（大きさ）、印色、外観デザインの各種複数種のスタンプを格納し、ＣＰＵ１からの指示に応じていずれかのスタンプを排出するベンダー部である。
【００１２】
５は利用者の顔や上半身など印面の絵柄として用いる画像を取り込むカメラ（画像入力手段）、６はカメラ５からの出力を画像データに変換する画像入力部（画像入力手段）、７は画像入力部６からの画像データや記憶部２からの画像データを編集してカラーＬＣＤなどからなる表示部８に出力する画像処理部、９は表示部８の全面に設けられスタンプ選択操作、各種図柄編集操作などを検出するタッチパネル、１１は操作説明などの音声、操作音、およびＢＧＭなどをスピーカ１２から出力する音声処理部、１３は画像処理部７にて編集された絵柄を感熱ヘッドにてスタンプの印面に成型する印面成型部である。
【００１３】
図２は本発明のスタンプ作成装置の外観図であり、ブロック図であり、前述の説明（図１参照）と同じまたは同等部分には同一符号を付してある。
同図において、２１は印面サイズ、各種印色やデザインを有する複数種のスタンプの見本を展示するための見本ディスプレイ部、２２は貨幣価値媒体投入口、８は表示部、９はタッチパネル、２３は利用者が選択したスタンプを装置内部のベンダー部４から排出するためのスタンプ排出口、２４は印面成型時にスタンプ排出口２３から取り出したスタンプを挿入するスタンプセット口、５はカメラ、１２はスピーカである。
【００１４】
図３はスタンプを示す説明図であり、（ａ）はスタンプの外観図、（ｂ）はスタンプの断面図である。
同図において、３１はボディ部、３２は不織布、３３は印面成型部１３の感熱ヘッドによる加熱により任意の絵柄が成型されて印面となる感熱性孔版原紙、３４はインクを含浸するインク含浸体である。
【００１５】
次に、図４を参照して、本発明の動作を説明する。
図４は本発明のスタンプ作成装置の動作を示すフローチャートである。
通常時、ＣＰＵ１は記憶部２から所定の操作説明などの一連のアドバタイズ画面データを順次読み出し、画像処理部７を介して表示部８に繰り返し表示する。
ここで、利用者により貨幣価値媒体投入口２２から投入され、コイン検出部１０にてコイン投入が確認された場合、ＣＰＵ１は、コイン検出部１０からの貨幣価値媒体の検出結果を確認し（ステップ４０）、各スタンプに関する画像データを記憶部２から読み出し、画像処理部７を介して表示部８に表示するとともに、投入されたコイン数に応じて購入可能なスタンプを識別表示し、利用者に対して購入する印面未成型スタンプの決定を促す（ステップ４１）。
【００１６】
利用者によるタッチパネル９の選択操作に応じて、ＣＰＵ１は表示部８に表示されたスタンプのいずれかを選択表示するとともに、そのスタンプに関する押捺例を示す画像データを記憶部２から読み出し、表示部８の一部に表示する。
図５はスタンプ選択時の表示部８出力例であり、５１はベンダー部４に格納されている各印面未成型スタンプの外観デザイン、印色、金額などを表示するリスト窓、５２は投入された金額を示す金額窓、５３は印面未成型スタンプ選択を決定するための決定ボタン、５４は選択を解除するためのキャンセルボタン、５５は利用者による選択操作に応じてリスト窓５１上を移動するカーソル、５６はカーソル５５により選択されているスタンプの押捺例を表示する説明窓である。
【００１７】
このように、ベンダー部４に格納されている各スタンプの押捺例を示す画像データを記憶部２に予め記憶しておき、カーソル５５にて選択されている印面未成型スタンプの印面サイズ、印色に応じた実際の押捺例を、印面未成型スタンプ選択時に表示部８に表示するようにしたので、絵柄が完成されていない時点であっても、利用者がスタンプの印面サイズ、印色、あるいは印面サイズから限定されうる絵柄などを正確に確認することができ、所望の印面未成型スタンプを間違いなく選択することができる。
【００１８】
続いて、利用者によるタッチパネル９の選択決定操作を確認した後（ステップ４２）に応じて、ＣＰＵ１はカーソル５５にて選択されている印面未成型スタンプを処理対象としてベンダー部４に対して選択されたスタンプの排出を指示し（ステップ４３）、そのスタンプ種別を記憶部２に記憶する（ステップ４４）。これに応じてベンダー部４は指示された印面未成型スタンプをスタンプ排出口２３から排出する。
また、ＣＰＵ１は記憶部２から操作説明のための画像データを読み出して表示部８に出力することにより、利用者に対して、排出した印面未成型スタンプを開梱してスタンプセット口２４に装着するように促す。
【００１９】
これに応じて、利用者によるスタンプ装着を確認した後（ステップ４５）、ＣＰＵ１は図６に示すようなスタンプ印面の絵柄編集処理を開始する（ステップ４６）。
図６は絵柄編集処理を示すフローチャートである。
まず、ＣＰＵ１は記憶部２に記憶しておいたスタンプ種別を読み出し、スタンプセット口２４に装着されたスタンプの種別を確認する（ステップ６０）。続いて、そのスタンプの印面サイズおよび印色に応じた複数種の絵柄例を記憶部２から読み出して、表示部８に縮小表示し（ステップ６１）、利用者に対してベースとなる絵柄の選択を促す。
【００２０】
利用者による選択操作に応じて（ステップ６２）、ＣＰＵ１は表示部８に表示されたスタンプのいずれかを選択表示するとともに、そのスタンプに関する押捺例を示す画像データを記憶部２から読み出し、表示部８の一部に実寸にて表示する。
図７は絵柄選択時の表示部８出力例であり、７１は各種絵柄例を縮小表示するリスト窓、７２はリスト窓７１を左右に移動更新するスクロールボタン、７３は絵柄選択を決定するための決定ボタン、７４は選択を解除するためのキャンセルボタン、７５は利用者による選択操作に応じてリスト窓７１上を移動するカーソル、７６はカーソル７５により選択されているスタンプの押捺例を実寸にて表示する説明窓である。
【００２１】
このように、排出したスタンプのスタンプ種別をスタンプ排出時に記憶部２に記憶しておき、印面の絵柄編集時には、記憶したスタンプ種別に基づいて、記憶部２に予め格納されている絵柄例のうち、そのスタンプの印面サイズに対して成型可能な絵柄例のみを表示するようにしたので、従来のように、絵柄編集時に利用者がスタンプの印面サイズを把握して入力する必要がなく、操作の経験がない不特定多数の人が、簡単な操作で所望のスタンプの印面サイズに一致した絵柄を選択することができる。
【００２２】
このようにして、ベースとなる印面の絵柄が選択された後、ＣＰＵ１は、絵柄の一部を構成するワンポイント柄や定型文などの画像データを読み出して表示部８に表示することにより、前述と同様にして利用者に選択を促すとともに、住所、氏名、電話番号などの自由文の入力を利用者に促し（ステップ６３）、選択および入力されたそれぞれの画像データを記憶部２に一時的に記憶する。
図８は絵柄編集例を示す説明図であり、（ａ）はベースとなる選択された絵柄、（ｂ）は住所や氏名などの自由文が入力されたもの、（ｃ）は完成した絵柄を示している。
【００２３】
次に、ＣＰＵ１は選択された絵柄を編集する際に画像撮影が必要か否か判断し（ステップ６４）、必要な場合には（ステップ６４：ＹＥＳ）、画像入力部６およびカメラ５を制御して、利用者などの撮影を行う（ステップ６５）。
この場合、カメラ５による撮影は、比較的短い数秒〜十数秒の所定間隔で複数回、例えば４回連続して撮影され、取り込まれた画像データは、画像処理部７に転送される。
続いて、ＣＰＵ１は、画像処理部７を制御して、これら画像データを縮小して表示部８に表示し、利用者に対していずれの画像データを印面の絵柄として採用するか選択を促す（ステップ６６）。これに応じて、利用者はいずれかの画像データを選択し選択された画像データは、記憶部２に一時的に記憶される。
【００２４】
このように、印面の絵柄として用いる任意の画像を撮影する場合に、比較的短い間隔で複数回連続撮影し、そのいずれかから利用者に選択させたものを用いるようにしたので、撮影時間を短縮でき全体としてスタンプ作成に要する時間を短縮することができるとともに、例えば顔写真を撮影する場合には、瞬きによる撮影失敗を低減することができる。
【００２５】
一方、ステップ６４において、画像撮影が必要でないと判断された場合には（ステップ６４：ＮＯ）、次に似顔絵作成が必要か否か判断し（ステップ６７）、似顔絵作成が必要である場合には（ステップ６７：ＹＥＳ）、予め記憶部２に格納されている髪、顔輪郭、目、口などの画像データに基づき、利用者に対して似顔絵の編集を促す（ステップ６８）。
例えば、まず髪を選択させる場合には、記憶部２から多数の髪の画像データを読み出して表示部８に表示し、前述した図７に示すような画面操作と同様の操作にて、利用者にいずれかの髪の画像データを選択させる。このようにして、顔輪郭、目、口などを順次選択し利用者が所望する似顔絵を作成し、作成した似顔絵を示す画像データを記憶部２に一時的に記憶する。
【００２６】
このように、印面の絵柄として、予め記憶部２に設けられた髪、顔輪郭、目、口などの画像データに基づいて利用者が作成した似顔絵を用いるようにしたので、顔写真などを用いる場合と比較して、利用者のプライベートを保護することができるとともに、顔写真が用いられた場合と同様の親近感や暖かみのある絵柄を生成することができる。
【００２７】
また、ステップ６６，ステップ６８終了後、およびステップ６７において似顔絵作成が必要ないと判断された場合（ステップ６７：ＮＯ）、利用者に選択および入力された、印面サイズに応じた絵柄例、撮影した画像あるいは似顔絵、およびワンポイント柄、定型文、自由文などの画像データを記憶部２から読み出す。
その後、画像処理部７で印面サイズに基づいて撮影した画像を編集、例えば拡大、縮小、部分抽出、あるいは顔の特徴的部分を抽出して似顔絵的に編集した後、絵柄全体を示す画像データを編集合成し、再び記憶部２に保存して（ステップ６９）、一連の絵柄編集処理を終了する。
【００２８】
このようにして、絵柄編集処理（図４のステップ４６）を実施した後、ＣＰＵ１は、記憶部２に保存されている絵柄全体を示す画像データを読み出して、Ｉ／Ｏ３を介して印面成型部１３に転送し、印面の成型を指示する（ステップ４７）。
これに応じて、印面成型部１３は、スタンプセット口２４に装着されているスタンプの印面に、転送されてきた画像データに応じた絵柄を成型する。この場合、スタンプの印面は図３に示したように感熱性孔版原紙３３で覆われており、印面成型部１３は、感熱ヘッドにて感熱性孔版原紙３３を加熱することにより、印面に絵柄を成型する。
【００２９】
印面成型後、ＣＰＵ１は、表示部８の表示にて、利用者に対し絵柄全体を示す画像データを再利用するか否か問い合わせる（ステップ４８）。ここで再利用する旨が操作入力された場合には、印面成型に用いた画像データを次回のスタンプ作成時まで記憶部２に保存する（ステップ４８Ｙ）。
この後、ＣＰＵ１は、表示部８の表示にて、利用者に対しスタンプ完成を知らせ、スタンプの取り出しを促して（ステップ４９）、一連のスタンプ作成処理を終了する。
【００３０】
次に、図９を参照して、本発明の第２の実施の形態について説明する。
図９は、本発明の第２の実施の形態によるスタンプ作成装置のブロック図であり、特に、別途用意された印面未成型スタンプに所望の絵柄を成型するタイプのものである。
したがって、前述した第１の実施の形態と比較して、印面未成型スタンプを排出（販売）するための手段、すなわち、ベンダー部４およびコイン検出部１０が設けられていない。
【００３１】
一方、スタンプ作成処理開始を指示するための手段として、装置本体に実装され、利用者の操作によりスタンプ作成処理開始を指示するためのスタートスイッチ１４がＩ／Ｏ部３に入力される。
また、外部からスタンプ作成処理開始を指示する場合、例えば、店頭のカウンタなどから店員が指示する場合のスタンプ作成処理開始を指示するための手段として、店頭のカウンタなどスタンプ装置本体から離れた場所に設置された所定スイッチの操作に応じて出力される外部起動信号１５をＩ／Ｏ部３に入力するようにしてもよい。
【００３２】
これら、スタートスイッチ１４の出力または外部起動信号１５は、Ｉ／Ｏ部３に入力され、これがＣＰＵ１にて検出され、前述したスタンプ作成処理（図４参照）が開始される。
この場合、印面未成型スタンプを排出するための処理が不用となるため、別途用意した印面未成型スタンプに対するスタンプ作成処理として、前述したスタンプ作成処理（図４参照）ステップ４５から実施される。
【００３３】
この場合、使用する印面未成型スタンプの印面サイズを含むスタンプ種別は、予め設定しておくとよい。例えば、印面サイズが１種類であれば、絵柄編集開始時に対応するスタンプ種別を固定的に選択してもよく、また印面サイズが複数の場合には、絵柄編集開始時に利用者によりスタンプ種別を選択させるようにしてもよい。
このように、スタートスイッチ１４または外部起動信号１５に応じて、スタンプ作成処理を開始するようにしたので、コインなどの貨幣価値媒体を検出する手段を設けることなく、別売りされた印面未成型スタンプに対して所望の絵柄のスタンプを作成することができる。
【００３４】
なお、以上の説明において、再利用するための画像データが保存されている場合、前述した購入可能スタンプを表示する際に（ステップ４１）、購入可能なスタンプのうち保存画像データの大きさに基づいてこの保存画像データを印面成型可能なスタンプを判断し、印面成型可能スタンプを選択可能スタンプとして表示する。したがって、絵柄全体を示す画像データを再利用する場合、その画像データにて印面成型できないスタンプを利用者が誤って選択するということを回避することができる。
【００３５】
また、絵柄編集処理（図６参照）では、絵柄例を表示する際には（ステップ６１）、保存されている印面全体の画像データを記憶部２から読み出して表示するとともに、その後の画像撮影、似顔絵、ワンポイント柄、定型文、自由文などの編集時には、再編集が必要な旨を利用者から操作入力されたもののみを再度編集する。したがって、例えば、住所や氏名などが同一で、異なる画像や似顔絵を用いた絵柄のスタンプを簡単な操作で作成することができ、利用者の操作負担を軽減することができる。
【００３６】
【発明の効果】
以上説明したように、本発明は、各種絵柄や文字からなる絵柄例を示す画像データを予め記憶する記憶手段と、この記憶手段に記憶されている任意の画像データを表示する表示手段とを設けて、所定の貨幣価値媒体の投入後の所定操作に応じて、記憶手段から作成するスタンプの印面サイズに応じた絵柄例の画像データを読み出し、表示手段に表示した状態でスタンプ印面の絵柄を編集し、編集した絵柄を印面未成型スタンプの印面に成型するようにしたものである。
したがって、所定の貨幣価値媒体の投入後の所定操作に応じて、作成するスタンプの印面サイズに応じた絵柄例の画像データが読み出され、表示手段に表示された状態で編集するものとなるため、操作の経験がない不特定多数の人が、簡単な操作で所望の絵柄のスタンプを作成することができる。
【００３７】
また、所定操作に応じて、または外部からの所定起動信号受信後の所定操作に応じて、記憶手段から作成するスタンプの印面サイズに応じた絵柄例の画像データを読み出し、表示手段に表示した状態でスタンプ印面の絵柄を編集し、編集した絵柄を予め用意した印面未成型スタンプの印面に成型するようにしたものである。
したがって、所定操作に応じて、または外部からの所定起動信号受信後の所定操作により、作成するスタンプの印面サイズに応じた絵柄例の画像データが読み出され、表示手段に表示された状態で編集するものとなるため、操作の経験がない不特定多数の人が、簡単な操作で予め用意した印面未成型スタンプを用いて所望の絵柄のスタンプを作成することができる。
【００３８】
また、少なくとも各種印面サイズを有する各スタンプごとに各絵柄例を示す画像データを予め記憶しておき、作成するスタンプの印面サイズを含むスタンプ種別に基づいて記憶手段から対応する絵柄例の画像データを読み出して表示手段に表示するようにしたので、各種印面サイズを有するスタンプについても、簡単な操作で所望のスタンプの印面サイズに一致した絵柄を選択することができる。
また、所定の貨幣価値媒体の投入後、少なくとも各種印面サイズおよび印色を有する複数種のスタンプのうちから選択された所望の印面未成型スタンプを排出するようにしたので、印面未成型スタンプを予め用意する必要がなく、スタンプ作成時に作成したい印面サイズおよび印色の印面未成型スタンプを選択することができる。
【００３９】
また、排出した印面未成型スタンプのスタンプ種別に基づいて記憶手段から対応する絵柄例の画像データを読み出して表示手段に表示するようにしたので、従来のように、絵柄編集時に利用者がスタンプの印面サイズを把握してスタンプ印面サイズを入力する必要がない。
また、各種印面サイズおよび印色を有する各スタンプごとに、個々のスタンプに絵柄を成型して押捺した場合の押捺例を示す画像データを予め記憶しておき、貨幣価値媒体投入後の印面未成型スタンプ選択時に、各種印面サイズおよび印色を有する各スタンプごとに対応する押捺例を読み出して表示するようにしたので、絵柄が完成されていない時点であっても、利用者がスタンプの印面サイズ、印色、印面サイズから限定されうる絵柄などを正確に確認することができ、所望の印面未成型スタンプを間違いなく選択することができる。
【００４０】
また、任意の被写体を撮影し撮影画像データとして出力する画像入力手段を備え、制御手段は、絵柄編集時、画像入力手段から出力された撮影画像データを絵柄の一部として用いるようにしたので、任意の被写体の絵柄を有するスタンプを作成できる。
さらに、画像入力手段により、任意の被写体を比較的短い所定間隔で複数回連続撮影し、それぞれ撮影画像データとして出力し、絵柄編集時、画像入力手段から出力された各撮影画像データを表示し、これら撮影画像データのうち所定操作により選択されたいずれかの撮影画像データを絵柄の一部として用いるようにしたので、撮影時間を短縮でき全体としてスタンプ作成に要する時間を短縮することができるとともに、例えば顔写真を撮影する場合でも、瞬きによる撮影失敗を低減することができる。
また、髪、顔輪郭、目、口などの似顔絵を構成する各部位ごとに、各部位を示す複数の画像データを記憶し、絵柄編集時、各部位ごとに各画像データを読み出して表示するとともに、所定操作により各部位ごとに選択されたそれぞれの画像データからなる似顔絵を絵柄の一部として用いるようにしたので、顔写真などを用いる場合と比較して、利用者のプライベートを保護することができるとともに、顔写真が用いられた場合と同様の親近感や暖かみのある絵柄を生成することができる。
【００４１】
また、絵柄編集終了後、生成した絵柄の再利用を指示する所定操作に応じて、絵柄を示す画像データを保存し、その後の印面未成型スタンプ選択時には、保存しておいた保存画像データの大きさに基づいて保存画像データの印面成型可能なスタンプを判断し、印面成型可能なスタンプを選択可能スタンプとして表示するようにしたので、絵柄全体を示す画像データを再利用する場合、その画像データにて印面成型できないスタンプを利用者が誤って選択するということを回避することができる。
また、絵柄編集終了後、生成した絵柄の再利用を指示する所定操作に応じて、絵柄を示す画像データを保存し、その後の絵柄編集時には、保存しておいた保存画像データを読み出して絵柄例として表示するとともに、その後の所定操作により再編集が指示された部分のみを再編集するようにしたので、例えば、住所や氏名などが同一で、異なる画像や似顔絵を用いた絵柄のスタンプを簡単な操作で作成することができ、利用者の操作負担を軽減することができる。
【図面の簡単な説明】
【図１】  本発明の第１の実施の形態によるスタンプ作成装置のブロック図である。
【図２】  スタンプ作成装置の外観図である。
【図３】  スタンプを示す説明図である。
【図４】  スタンプ作成処理を示すフローチャートである。
【図５】  スタンプ選択時の表示画面例を示す説明図である。
【図６】  絵柄編集処理を示す説明図である。
【図７】  絵柄例選択時の表示画面例を示す説明図である。
【図８】  絵柄編集例を示す説明図である。
【図９】  本発明の第２の実施の形態によるスタンプ作成装置のブロック図である。
【符号の説明】
１…ＣＰＵ（制御手段）、２…記憶部（記憶手段）、３…Ｉ／Ｏ、４…ベンダー部、５…カメラ（画像入力手段）、６…画像入力部（画像入力手段）、７…画像処理部（表示手段）、８…表示部（表示手段）、９…タッチパネル、１０…コイン検出部、１１…音声処理部、１２…スピーカ、１３…印面成型部、１４…スタートスイッチ、１５…外部起動信号。
【図１】
0004354018.tif 000002
【図２】
0004354018.tif 000003
【図３】
0004354018.tif 000004
【図４】
0004354018.tif 000005
【図５】
0004354018.tif 000006
【図７】
0004354018.tif 000007
【図６】
0004354018.tif 000008
【図８】
0004354018.tif 000009
【図９】
0004354018.tif 000010